(57)【要約】【課題】  製造費を低減することができると共に維持費も低減することができる土壌消毒装置を提供する。【解決手段】  土壌を撹拌しつつ搬送すると共に熱風又は水蒸気によって加熱処理する土壌消毒装置１において、支持杆６１の長さ方向に略等間隔に複数の羽根部材６２を固着して成る撹拌搬送部材６を、回転ドラム２の内壁面に、円周方向に略等間隔に並行状に螺着する。隣接する撹拌搬送部材６において、羽根部材６２の固着位置を漸次偏位させると共に、隣接する羽根部材６２の一端部が表裏面で重合するよう設定する。【選択図】  図２
2014050364.tif 000002
【特許請求の範囲】
【請求項１】
土壌を撹拌しつつ搬送すると共に、熱風又は水蒸気によって加熱処理する土壌消毒装置であって、土壌を収容して回転駆動される回転ドラムと、この回転ドラムを回転駆動するドラム駆動機構と、前記回転ドラム内に土壌を供給するホッパーと、回転ドラム内に収容された土壌を加熱処理する加熱装置と、から構成され、支持杆の長さ方向に略等間隔に複数の羽根部材を固着して成る撹拌搬送部材を、前記回転ドラムの内壁面に、円周方向に略等間隔に並行状に螺着したことを特徴とする土壌消毒装置。
【請求項２】
前記羽根部材は、その長さ方向と回転ドラムの直径方向との為す角度が２〜２０°、かつ、その幅方向と回転ドラムの直径方向との為す角度が２〜３０°となるように固着したことを特徴とする請求項１に記載の土壌消毒装。
【請求項３】
隣接する前記撹拌搬送部材において、羽根部材の固着位置を漸次偏位させると共に、隣接する羽根部材の一端部が表裏面で重合するよう設定したことを特徴とする請求項１又は２に記載の土壌消毒装。
【発明の詳細な説明】
【技術分野】
【０００１】
本発明は、土壌を熱風又は水蒸気によって加熱し、殺菌、殺虫又は雑草の種子等を死滅させる土壌消毒装置に関する。
【背景技術】
【０００２】
土壌を加熱して消毒する土壌消毒装置としては、従来、回転駆動される回転ドラムの入口から土壌を連続的に供給し、回転ドラムの内壁面に溶接したスパイラル羽根によって、土壌を回転ドラム内で撹拌しつつ移送すると共に、熱風又は水蒸気を回転ドラム内に導入して土壌を加熱し、回転ドラムの出口から土壌を連続的に排出する土壌消毒装置が知られている。
【０００３】
又、特許文献１に開示されるように、回転駆動される回転ドラム５０の入口５２から土壌を連続的に供給し、回転ドラム５０の内壁面に固着した複数の案内板５４によって、土壌を回転ドラム５０内で撹拌しつつ移送すると共に、高温ガスを回転ドラム５０内に導入して土壌を加熱し、回転ドラム５０の出口５５から土壌を連続的に排出する土壌消毒装置も知られている。
【先行技術文献】
【特許文献】
【０００４】
【特許文献１】特開２０００−３００１４５号公報
【発明の概要】
【発明が解決しようとする課題】
【０００５】
しかし、上記従来の土壌消毒装置は、回転ドラムの内壁面に直接、スパイラル羽根又は複数の案内板を固着した構造であるため、狭い回転ドラム内に作業者が入って溶接作業をしなければならず、スパイラル羽根等の固着作業は極めて面倒であると共に時間もかかった。よって、回転ドラムの製造費は高額にならざるを得ず、土壌消毒装置自体の製造費も高額にならざるを得なかった。
【０００６】
又、スパイラル羽根等は、加熱処理される土壌と接触し、熱風又は水蒸気に曝されるため、激しく腐食、摩耗又は損傷し易く、所定期間使用後には、スパイラル羽根等を修理、交換する必要がある。しかし、狭い回転ドラム内に作業者が入ってスパイラル羽根等を修理等するのは極めて面倒であり、修理等するのが困難な場合には、回転ドラムごと交換しなければならず、土壌消毒装置の維持費も高額とならざるを得なかった。
【０００７】
本発明は、かかる従来の問題点に鑑みて為されたものであって、その目的とするところは、回転ドラムの製造費を極力低減して、土壌消毒装置自体の製造費を低減することができると共に、スパイラル羽根等が腐食、摩耗又は損傷した場合にあっても、スパイラル羽根等を容易に修理、交換することができて、回転ドラムごと交換する必要はなく、土壌消毒装置の維持費も低減することができる土壌消毒装置を提供することにある。
【課題を解決するための手段】
【０００８】
上記目的を達成するために、本発明は、土壌を撹拌しつつ搬送すると共に、熱風又は水蒸気によって加熱処理する土壌消毒装置であって、土壌を収容して回転駆動される回転ドラムと、この回転ドラムを回転駆動するドラム駆動機構と、前記回転ドラム内に土壌を供給するホッパーと、回転ドラム内に収容された土壌を加熱処理する加熱装置と、から構成され、支持杆の長さ方向に略等間隔に複数の羽根部材を固着して成る撹拌搬送部材を、前記回転ドラムの内壁面に、円周方向に略等間隔に並行状に螺着した土壌消毒装置を提供するものである。
【０００９】
前記羽根部材は、その長さ方向と前記回転ドラムの直径方向との為す角度が２〜２０°、かつ、その長さ方向と前記回転ドラムの直径方向との為す角度が２〜３０°となるように固着する。
【００１０】
又、隣接する撹拌搬送部材において、羽根部材の固着位置を漸次偏位させると共に、隣接する羽根部材の一端部が表裏面で重合するよう設定する。
【発明の効果】
【００１１】
本発明の土壌消毒装置によれば、回転ドラムの製造費を極力低減して、土壌消毒装置自体の製造費を低減することができると共に、羽根部材が腐食、摩耗又は損傷した場合にあっても、羽根部材を容易に修理、交換することができて、回転ドラムごと交換する必要はなく、土壌消毒装置の維持費も低減することができる。
【図面の簡単な説明】
【００１２】
【図１】本発明の土壌消毒装置の（Ａ）は正面図、（Ｂ）は側面図である。
【図２】回転ドラムの（Ａ）は正面図、（Ｂ）は側面図である。
【図３】撹拌搬送部材の（Ａ）は正面図、（Ｂ）は側面図、（Ｃ）は平面図、（Ｄ）は底面図である。
【図４】撹拌搬送部材の斜視図である。
【図５】撹拌搬送部材の羽根部材の配列状態を示す説明図である。
【図６】撹拌搬送部材の回転ドラムへの固定状態を示す断面図である。
【発明を実施するための形態】
【００１３】
以下、本発明の土壌消毒装置の好適な実施形態について、図面を参照しつつ詳細に説明する。
【００１４】
本発明の土壌消毒装置１は、図１に示すように、回転駆動される回転ドラム２と、回転ドラム２を回転駆動するドラム駆動機構３と、回転ドラム２内に土壌を供給するホッパー４と、土壌を加熱処理する加熱装置５とから構成される。
【００１５】
回転ドラム２は、図２に示すように、薄肉円筒体であって、その内壁面には、円周方向に略等間隔に、長さ方向に延長した複数の撹拌搬送部材６を並行状に配設してある。
【００１６】
撹拌搬送部材６は、図３及び４に示すように、略直角に折曲した、断面二等辺三角形状の支持杆６１に、長さ方向に略等間隔に、複数の羽根部材６２を溶接等によって固着してある。
【００１７】
羽根部材６２は、図２乃至４に示すように、スパイラル羽根を円周方向に略４分割した形状を呈する。
そして、羽根部材６２は、その長さ方向と回転ドラム２の直径方向との為す角度がθ、かつ、その幅方向と回転ドラム２の直径方向との為す角度がδとなるように、支持杆６１に傾斜させて固着してある。ここで、角度θは２〜２０°、特には５〜１０°、角度δは２〜３０°、特には５〜１５°に設定するのが好ましい。
【００１８】
又、図２及び５に示すように、隣接する撹拌搬送部材６Ａ，６Ｂにおいて、羽根部材６２，６２の固着位置を漸次偏位させると共に、隣接する羽根部材６２，６２の一端部が表裏面で重合するよう設定してある。
【００１９】
各支持杆６１の裏面には、長さ方向に所定間隔で、取付板６３を溶接等によって固着してあり、各取付板６３には挿通孔６３ａを穿設してある。
又、回転ドラム２にも、図２に示すように、円周方向に等間隔で、長さ方向に所定間隔で、挿通孔６３ａに対応させて、挿通孔２ａを穿設してある。
【００２０】
そして、図６に示すように、取付板６３に穿設した挿通孔６３ａと、回転ドラム２に穿設した挿通孔２ａとを合致させ、挿通孔６３ａ，２ａにボルト６４を挿通させ、ナット６５で締結することによって、複数の撹拌搬送部材６Ａ，６Ｂ，・・・を回転ドラム２の内壁面に、円周方向に等間隔に、並行状に固定してある。
【００２１】
支持架台７の長さ方向の両端部に近い位置に、幅方向の両側に、支持軸８１とベアリング８２，８２により回転自在に支持された支持ローラ８，８，・・・を設置してあり、これら支持ローラ８，８，・・・に回転ドラム２を載置することによって、回転ドラム２を回転自在としてある。
又、回転ドラム２の外周面にはローラガイド８３，８３を形設してあり、一方の支持ローラ８，８がこのローラガイド８３，８３に挟まれて規制されているため、回転ドラム２は長さ方向に移動しないようになっている。
【００２２】
ドラム駆動機構３は、支持架台７に固定したモーター９と、モーター軸９ａに固定した駆動スプロケツト１０と、回転ドラム２の外周面に形設した従動スプロケツト１１と、駆動スプロケツト１０と従動スプロケツト１１に掛け渡したチェーン１２とから構成されている。
【００２３】
支持架台７の一端部には、回転ドラム２内に土壌を供給するホッパー４を配設すると共に、他端部には、回転ドラム２内に熱風又は水蒸気を吹き込み、土壌を加熱処理する加熱装置５を配設してある。
加熱装置５としては、石油バーナー又は水蒸気発生装置を使用することができる。
【００２４】
本発明の土壌消毒装置１は以上のような構成であり、次に、土壌消毒装置１の作用について説明する。
【００２５】
モーター９を作動させると、モーター９による駆動力は、駆動スプロケツト１０、チェーン１２、従動スプロケツト１１を介して、回転ドラム２に伝達されるから、回転ドラム２が回転を開始する。
【００２６】
ホッパー４に貯留された土壌は、その下端開口から排出され、回転ドラム２の一端開口から回転ドラム２内に供給される。
【００２７】
回転ドラム２内に供給された土壌は、撹拌搬送部材６Ａの羽根部材６２によって掻き上げられ、回転ドラム２の内壁面に沿って上方へと搬送される。羽根部材６２が所定高さに到達すると、土壌は羽根部材６２から滑り落ち、回転ドラム２の底面に落下する。
次いで、隣接する撹拌搬送部材６Ｂの羽根部材６２によって再度掻き上げられ、回転ドラム２の内壁面に沿って上方へと搬送される。羽根部材６２が所定高さに到達すると、土壌は羽根部材６２から滑り落ち、回転ドラム２の底面に落下する。
【００２８】
回転ドラム２内において、土壌はこのような動作を繰り返すことになるが、羽根部材６２は、その長さ方向は回転ドラム２の直径方向と角度θを為すように固着してあり、又、隣接する撹拌搬送部材６Ａ，６Ｂにおいて、漸次偏位させて固着してあるから、土壌は徐々に回転ドラム２の他端開口へと搬送されていく。
【００２９】
又、回転ドラム２内において、土壌は、加熱装置５の火炎又は熱風によって時間をかけて加熱処理されるから、殺菌、殺虫又は雑草の種子等は死滅する。
ここで、土壌は、回転ドラム２内で撹拌、搬送されつつ加熱処理されるから、ムラがなく均一に加熱処理される。
【００３０】
回転ドラム２内で加熱処理された土壌は、回転ドラム２の他端開口に到達すると、他端開口から回転ドラム２外に排出される。
【００３１】
本発明の土壌消毒装置１は、回転ドラム２の内壁面に複数の撹拌搬送部材６をボルト６４及びナット６５によって固定したものであるから、狭い回転ドラム２内に作業者が入って溶接作業をする必要はなく、撹拌搬送部材６の固着作業は容易であり、時間もかからない。よって、回転ドラム２の製造費を低減することができ、土壌消毒装置１自体の製造費も低減することができる。
【００３２】
又、羽根部材６２が腐食、摩耗又は損傷した場合にも、ボルト６４及びナット６５を取り外すことによって、回転ドラム２の内壁面から容易に撹拌搬送部材６を離脱することができるから、狭い回転ドラム２内に作業者が入って修理等する面倒はなく、回転ドラム２ごと交換する必要もなく、土壌消毒装置１の維持費も低減することができる。
【００３３】
尚、上記実施形態においては、羽根部材６２は、スパイラル羽根を円周方向に略４分割した形状としたが、円周方向に略３分割、略５分割、又はそれ以上分割した形状としてもよい。この場合には、撹拌搬送部材６の数は、その分割数に対応した数となる。
【符号の説明】
【００３４】
１  土壌消毒装置
２  回転ドラム
３  ドラム駆動機構
４  ホッパー
５  加熱装置
６  撹拌搬送部材
６１  支持杆
６２  羽根部材
６４  ボルト
６５  ナット
【図１】
2014050364.tif 000003
【図２】
2014050364.tif 000004
【図３】
2014050364.tif 000005
【図４】
2014050364.tif 000006
【図５】
2014050364.tif 000007
【図６】
2014050364.tif 000008